(57)【要約】  植物栽培設備における栽培される複数の植物に均等に空気流を放射する植物育成用空気放射装置を提供する。  １個の茎部が生長する植物体における夫々の茎部の頂部に生える若葉に、空気流をそれぞれ放射する複数の空気放射部を備える。複数の空気放射部により、１個の茎部が生長する植物体における夫々の茎部の頂部に生える若葉に、空気流がそれぞれ放射される。このように、各植物体の茎部の頂部に生える若葉に空気流を放射することで、葉部からの蒸散作用を促進し、植物体の根からの水分および肥料の吸い上げを促進させる。これによって、葉部のしおれを防止するとともに、カルシュウム不足によるチップバーンを防止することができる。空気放射部は、植物体の若葉のすぐそばに設置されるので、空気放射部が放射する風量が小さくてよく、強い風により葉部同士が触れ合って生じる葉傷を防止することができる。
2014162848.tif 000002
【特許請求の範囲】
【請求項１】
１個の茎部が生長する植物体における夫々の前記茎部の頂部に生える若葉に、空気流をそれぞれ放射する複数の空気放射部を備える植物育成用空気放射装置。
【請求項２】
前記空気は、二酸化炭素濃度および湿度が高く調整されたものであり、
空気供給源から各パイプにより前記各空気放射部に供給される請求項１記載の植物育成用空気放射装置。
【請求項３】
前記各空気放射部は、空気流を作り出し空気を放射するファンと該ファンを駆動させるモータとを内蔵する請求項１記載の植物育成用空気放射装置。
【請求項４】
前記各空気放射部は、植物体に光を照射する発光装置が設けられている請求項１乃至３のいずれか１項に記載の植物育成用空気放射装置。
【請求項５】
前記各発光装置は、中央に植物体の茎部の生長を抑制する青色成分の高い茎部生長抑制光を照射する茎部生長抑制光源が配置され、該茎部生長抑制光源の周りに葉部の生長を促進する赤色成分の高い葉部生長促進光を照射する葉部生長促進光源が配置されている請求項４に記載の植物育成用空気放射装置。
【請求項６】
前記各空気放射部を支持して植物体に対向する任意の位置で支持する空気放射部支持装置をさらに有し、
前記空気放射部支持装置は、植物体の上方で横方向に延在する支持バーを備え、
前記支持バーには、前記空気供給源より供給される空気が流通する流通路と、
該流通路に流通した空気を植物体に向かって放射する前記空気放射部としての空気放射口と、
該支持バーの前記空気放射口の周囲に配され植物体に光を照射する発光装置と、が設けられている請求項２記載の植物育成用空気放射装置。
【発明の詳細な説明】
【技術分野】
【０００１】
本発明は、植物の育成に使用する空気放射装置に関する。
【背景技術】
【０００２】
従来、植物栽培施設において空調設備と人工照明設備とを用いて栽培環境を調整することにより植物を栽培する植物工場の設備が知られている。【０００３】
従来の技術としての特許文献１によると、栽培室の側壁に設けられた空気の吹込口より温度、湿度および二酸化炭素が調整された空気が供給され、供給された該空気を側壁に設置された送風ファンにより所定の風速で植物が設けられた隣接する山形パネルの間を流通させている。これによって、蒸散作用を促進することで根から水分や養分の吸い上げを促し、カルシウム不足により生じるチップバーン（縁腐れ）及び葉のしおれを防止し、二酸化炭素の濃度を調整することで、光合成を促進し植物の生長を促進している。
【先行技術文献】
【特許文献】
【０００４】
【特許文献１】特開２００２−１４２５８５号公報
【発明の概要】
【発明が解決しようとする課題】
【０００５】
しかし、特許文献１の植物栽培設備において、空調設備としての吹込口や送風ファンが栽培室の側壁に設けられ、該側壁に設けられた送風ファンにより栽培室全体に空気を循環させるため、送風ファンを大風量の強力なものにしている。そのため、送風ファンに近い位置に配された栽培植物と、送風ファンから遠い位置に配された栽培植物では空気流が当たる条件に差が生じる。送風ファンに近い位置の栽培植物は送風ファンからの強風で直接ダメージを受ける可能性があり、送風ファンから遠い位置の栽培植物は、他の栽培植物に風を遮られて、空気の循環が円滑に行われず光合成に必要な二酸化炭素が他の栽培植物より不足するとともに、蒸散作用の促進が行なわれないためチップバーンが生じるおそれがあった。【０００６】
本発明は係る従来の問題点に鑑みてなされたものであり、植物栽培設備における栽培される複数の植物に均等に空気流を放射する植物育成用空気放射装置を提供するものである。
【課題を解決するための手段】
【０００７】
上述した課題を解決するために、請求項１に係る発明の構成上の特徴は、１個の茎部が生長する植物体における夫々の前記茎部の頂部に生える若葉に、空気流をそれぞれ放射する複数の空気放射部を備えることである。【０００８】
請求項２に係る発明の構成上の特徴は、前記空気は、二酸化炭素濃度および湿度が高く調整されたものであり、空気供給源から各パイプにより前記各空気放射部に供給される請求項１記載の植物育成用空気放射装置である。【０００９】
請求項３に係る発明の構成上の特徴は、前記各空気放射部は、空気流を作り出し空気を放射するファンと該ファンを駆動させるモータとを内蔵する請求項１記載の植物育成用空気放射装置である。【００１０】
請求項４に係る発明の構成上の特徴は、前記各空気放射部は、植物に光を照射する発光装置が設けられている請求項１乃至３のいずれか１項に記載の植物育成用空気放射装置である。【００１１】
請求項５に係る発明の構成上の特徴は、前記各発光装置は、中央に植物の茎部の生長を抑制する青色成分の高い茎部生長抑制光を照射する茎部生長抑制光源が配置され、該茎部生長抑制光源の周りに葉部の生長を促進する赤色成分の高い葉部生長促進光を照射する葉部生長促進光源が配置されている請求項４に記載の植物育成用空気放射装置である。【００１２】
請求項６に係る発明の構成上の特徴は、前記各空気放射部を支持して植物体に対向する任意の位置で支持する空気放射部支持装置をさらに有し、前記空気放射部支持装置は、植物体の上方で横方向に延在する支持バーを備え、前記支持バーには、前記空気供給源より供給される空気が流通する流通路と、該流通路に流通した空気を植物体に向かって放射する前記空気放射部としての空気放射口と、該支持バーの前記空気放射口の周囲に配され植物体に光を照射する発光装置と、が設けられている請求項２記載の植物育成用空気放射装置。
【発明の効果】
【００１３】
請求項１に係る発明によると、複数の空気放射部により、１個の茎部が生長する植物体における夫々の前記茎部の頂部に生える若葉に、空気流がそれぞれ放射される。このように、各植物体の茎部の頂部に生える若葉に空気流を放射することで、葉部からの蒸散作用を促進し、植物体の根からの水分および肥料の吸い上げを促進させる。これによって、葉部のしおれを防止するとともに、カルシュウム不足によるチップバーンを防止することができる。空気放射部は、植物体の若葉のすぐそばに設置されるので、空気放射部が放射する風量が小さくてよく、強い風により葉部同士が触れ合って生じる葉傷を防止することができる。【００１４】
請求項２に係る発明によると、二酸化炭素濃度および湿度が高く調整された空気が、空気供給源から各パイプにより各空気放射部に供給される。そのため、植物体の光合成に必要な二酸化炭素を効率よく植物体に供給し、同時に高く湿度調整された空気を放射することにより植物体の葉の乾燥を防ぎ、効率よく光合成をさせ、植物体の生長を促進することができる。【００１５】
請求項３に係る発明によると、各放射部は、空気流を作り出し空気を放射するファンと該ファンを駆動させるモータとを内蔵する。そのため、空気放射部を空気を送る配管や大規模な供給設備を設けることなく、簡素で低コストの設備とすることができる。【００１６】
請求項４に係る発明によると、各空気放射部は、植物体に光を照射する発光装置が設けられている。そのため、発光装置が空気放射部からの空気の放射を遮ることがないので、植物体の葉部や茎部に発光装置が光を照射する位置から効率よく空気を放射することができる。空気放射部と発光装置とをまとめてひとつの装置とするので、コンパクトな装置とすることができる。【００１７】
請求項５に係る発明によると、各発光装置は、中央に植物の茎部の生長を抑制する青色成分の高い茎部生長抑制光を照射する茎部生長抑制光源が配置され、該茎部生長抑制光源の周りに葉部の生長を促進する赤色成分の高い葉部生長促進光を照射する葉部生長促進光源が配置されている。そのため、植物体の茎部の生長を抑制し、葉部の生長を促進させることができる。これによって、葉部を食用に供する植物体の商品的価値を向上させることができる。【００１８】
請求項６に係る発明によると、支持バーが空気を供給する流通路を兼ね、支持バーに設けられた空気放射口から植物体に空気が放射されるので、コンパクトで低い製造コストの植物育成用空気放射装置とすることができる。そして、光源装置が空気放射口の周囲に配置されているので、空気放射口による空気の植物体への放射と同時に光源装置の発光の際の熱の冷却を行うことができる。
【図面の簡単な説明】
【００１９】
【図１】本発明に係る植物育成用空気放射装置の全体概要を示す図である。
【図２】空気放射部及び発光装置の下面図である。
【図３】空気放射部及び発光装置を断面で示す側面図である。
【図４】植物体に対する空気放射部の空気の放射状態及び発光装置の照射状態を示す図である。
【図５】第２実施形態における植物育成用放射装置を示す図である。
【図６】第３実施形態における植物育成用放射装置の一部を断面で示す正面図である。
【図７】第３実施形態における植物育成用放射装置を示す下面図である。
【発明を実施するための形態】
【００２０】
(実施例１)
本発明に係る植物育成用空気放射装置の第1の実施形態について図面を参照して以下に説明する。
本実施形態では、育成する植物体として、リーフレタス２を使用した。植物育成用空気放射装置４は、図１に示すように、栽培室１に設けられ、発光装置５が複合された空気放射部６、空気放射部６を支持してリーフレタス２の任意の位置に対向させる空気放射部支持装置８、空気放射部６に空気を供給する空気供給源としての空気ポンプ１０、発光装置５に電気を供給する電力供給部１２、空気ポンプ１０の供給する空気の風量の大きさを制御するとともに、発光装置５のＬＥＤの種類や光の強さを制御する制御装置１４を備えている。
【００２１】
空気放射部６は、図２および図３に示すように、円盤状の基板１６と、該基板１６を下端部で保持するケーシング部１８とを備え、空気ポンプ１０に連通する空気パイプ２０の開口部（放射口）２２が基板１６の中央付近に互いに所定間隔をあけて設けられている。基板１６の下面の中央部には砲弾形の青色ＬＥＤ（発光ダイオード）５ｂが配置されている。基板の下面の周辺部には赤色ＬＥＤ５ｒと白色ＬＥＤ５ｗとが開口部を囲むように複数配置されている。青色ＬＥＤ５ｂは、４７０ＮＭを、赤色ＬＥＤ５ｒは６６０ＮＭを、夫々ピーク波長とするものである。白色ＬＥＤ５ｗは、青色ＬＥＤ５ｂに黄色の蛍光体を塗布したものとした。
【００２２】
空気ポンプ１０は、図略の空気吸入口を備え、二酸化炭素貯留タンク２４が併設されている。二酸化炭素貯留タンク２４によって、空気に二酸化炭素を混合させて任意濃度の二酸化炭素を含む空気を組成することができる。また、加湿器（図略）及び湿度センサ３８を備えた加湿装置３６によって、二酸化炭素の濃度が調整された空気の湿度を高く、例えば７０〜８０％に調整し、二酸化炭素の濃度及び湿度が調整された空気を、空気ポンプ１０により空気パイプ（パイプに対応する）２０を介して空気放射部６に供給する。
【００２３】
電力供給部１２は、特定の色のＬＥＤ（発光装置）５のみを照射したり、放射するＬＥＤ５の光の強さを変化させて照射したりすることが可能に電力を供給する。青色ＬＥＤ５ｂにより茎部生長抑制光源が構成され、赤色ＬＥＤ５ｒ及び白色ＬＥＤ５ｗにより葉部生長促進光源が構成される。
【００２４】
制御装置１４は、空気を空気ポンプ１０から空気パイプ２０に送る際に二酸化炭素貯留タンク２４から空気パイプ２０に二酸化炭素を注入して、空気に含まれる二酸化炭素の濃度を調整できるようになっている。空気パイプ２０の途中には二酸化炭素の濃度を検出する二酸化炭素濃度検知センサ２６が設けられ、この二酸化炭素濃度検知センサ２６からの検出信号により注入する二酸化炭素の量を調整する。また、制御装置１４は、湿度センサ３８の検出値に基づいて加湿装置３６の加湿器に加湿させる量を調整する。また、制御装置１４は、例えば調光回路（図略）を備え、リーフレタス２の生育状況に応じて、調光回路により電力供給部１２を制御して発光装置５である青色ＬＥＤ５ｂ、赤色ＬＥＤ５ｒおよび白色ＬＥＤ５ｗから照射される光の制御（例えば点灯、消灯、照射する光の強さなど）をおこなう。照射する光の強さは、光合成有効光量子束密度（ＰＰＦＤ）として、例えば５０〜５００μmol m-2ｓ-1の範囲で照射する。
【００２５】
空気放射部支持装置８は、空気放射部６及び発光装置５を支持する支持バー２８と、ボールねじ機構（図略）を内在して支持バー２８を上下動可能に支持する支持支柱３０と、ボールねじ機構を駆動させて支持バー２８を上下に移動させる駆動装置（電機モータ）３２とを備え、リーフレタス２の生育状況に応じ、育成するリーフレタス２に対向する任意の位置に空気放射部６及び発光装置５を移動可能に支持するようになっている。
【００２６】
次に、上記のように構成された植物育成用空気放射装置４の作動について、図に基づいて以下に説明する。
まず、リーフレタス２の種蒔を行い、水遣りをする。そして、種蒔より双葉が発芽し、茎部２ａと葉部２ｂとが区別ができるようになった種まきより３〜１０日目の時期に、例えば、成長点のある茎部２ａの頂部には植物育成用空気放射装置４の発光装置５の青色ＬＥＤ５ｂのみを、葉部２ｂには赤色ＬＥＤ５ｒを照射する。リーフレタス２においては１個の茎部２ａの周りに複数の葉部２ｂが生長する。照射時間は例えば一日あたり１６時間とし、照射する光の強さは、例えば１００μmol m-2ｓ-1を照射する。双葉の時期がすぎた後、茎部２ａより新たな葉部２ｂ（若葉）が伸びてくるが、葉部２ｂに赤色ＬＥＤ５ｒが照射されている間に、空気放射部６より空気流をこの新たに出てくる夫々の若葉（葉部２ｂ）に向けて放射する。この際に、二酸化炭素の濃度を例えば１０００ｐｐｍに高めた空気を放射する。これによって、光合成を促進させることで、葉部２ｂの生長を促す。また、葉部２ｂに赤色ＬＥＤ５ｒが照射されていない間は、光合成が行われないので、二酸化炭素の濃度を高めていない通常の空気を放射する。
【００２７】
１０〜２０日目には、例えば、青色ＬＥＤ５ｂを茎部２ａに、赤色ＬＥＤ５ｒおよび白色ＬＥＤ５ｗを葉部２ｂに照射する。照射時間は例えば一日あたり２４時間とし、照射する光の強さは、例えば１００μmol m-2ｓ-1を照射する。葉部２ｂに赤色ＬＥＤ５ｒおよび白色ＬＥＤ５ｗが照射されている間に、空気放射部６より空気流を葉部２ｂに向けて放射する。この際に、二酸化炭素の濃度を例えば１５００ｐｐｍに高めた空気を放射する。これによって、光合成を促進させることで、葉部２ｂの生長を促す。
【００２８】
２０〜３０日目において、例えば、青色ＬＥＤ５ｂおよび赤色ＬＥＤ５ｒの照射を止めて、白色ＬＥＤ５ｗのみを照射する。照射時間は例えば一日あたり２４時間とし、照射する光の強さは、例えば１５０μmol m-2ｓ-1を照射する。この際に、二酸化炭素の濃度を例えば２０００ｐｐｍに高めた空気を開口部２２より放射する。同時に高く湿度調整された空気を放射することによりリーフレタス（植物体）２の葉部２ｂの乾燥を防ぐことができる。これによって、光合成を促進させることで、葉部２ｂの生長を促す。
【００２９】
このようにリーフレタス２の葉部２ｂの近くの位置から空気流を葉部２ｂに放射することで、他の固体のリーフレタス２により空気流が妨げられることがなく、各リーフレタス２の葉部２ｂの周りに均等に空気を巡らせることができる。この空気流の放射によって葉部２ｂからの蒸散作用を促進し、リーフレタス２が根から水分や養分を吸収する作用を高めるので、カルシュウム不足によるチップバーンを防止し、茎部２ａや葉部２ｂのしおれを防止することができる。
【００３０】
上記のようにＬＥＤを照射し、空気流を放射することで育成したリーフレタス２は、健康で養分が良く行き渡った状態で生長するので、葉部２ｂが密生して色が濃く、葉部２ｂが大きく広がり、茎部２ａは短く伸長するのが抑制される。これにより、食用に供される葉部２ｂが多くなって商品価値を向上させることができる。
【００３１】
また、発光装置５は、ＬＥＤであり、使用される電力が少なく省エネルギーが図れ、光源としての耐久寿命も長いので、ランニングコストの低減を図ることができる。また、ＬＥＤでは、光の波長の制御が容易で単色光を作り出すことができる。
【００３２】
また、発光装置５は、リーフレタス２の茎部２ａに対向する部分に、茎部２ａの生長を抑制する青色成分の高い茎部生長抑制光を照射する青色ＬＥＤ５ｂと、リーフレタス２の葉部２ｂに対向する部分に、葉部２ｂの生長を促す赤色成分の高い葉部生長促進光を照射する赤色ＬＥＤ５ｒと、を備えているので、茎部２ａの頂部に、茎部２ａの生長を抑制する青色ＬＥＤ５ｂからの光を照射することができ、葉部２ｂには葉部生長を促す赤色ＬＥＤ５ｒからの光を照射することができる。
【００３３】
上記の説明で明らかなように、本実施形態における植物育成用空気放射装置４によると、複数の空気放射部６により、１個の茎部２ａが生長するリーフレタス２における夫々の茎部２ａの頂部に生える若葉（葉部）２ｂに、空気流がそれぞれ放射される。このように、各リーフレタス２の茎部２ａの頂部に生える若葉２ｂに空気流を放射することで、葉部２ｂからの蒸散作用を促進し、リーフレタス２の根からの水分および肥料の吸い上げを促進させる。これによって、葉部２ｂのしおれを防止するとともに、カルシュウム不足によるチップバーンを防止することができる。空気放射部６は、リーフレタス２の若葉２ｂのすぐそばに設置されるので、空気放射部６が放射する風量が小さくてよく、強い風により葉部２ｂ同士が触れ合って生じる葉傷を防止することができる。
【００３４】
また、二酸化炭素濃度が高く調整された空気が、空気供給源１０から各空気パイプ２０により各空気放射部６に供給される。そのため、リーフレタス２の光合成に必要な二酸化炭素を効率よくリーフレタス２に供給して、同時に高く湿度調整された空気を放射することによりリーフレタス２の葉部２ｂの乾燥を防いで、リーフレタス２の生長を促進することができる。
【００３５】
また、各空気放射部６は、空気流を作り出し空気を放射するファン４８と該ファン４８を駆動させるモータ５２とを内蔵する。そのため、空気を送る配管や大規模な供給設備を設けることなく、簡素で低コストの設備とすることができる。
【００３６】
また、各空気放射部６は、リーフレタス２に光を照射する発光装置（ＬＥＤ）５が設けられている。そのため、ＬＥＤ５が空気放射部６からの空気の放射を遮ることがないので、リーフレタス２の葉部２ｂや茎部２ａにＬＥＤ５が光を照射する位置から効率よく空気を放射することができる。空気放射部６とＬＥＤ５とをまとめてひとつの装置とするので、コンパクトな装置とすることができる。
【００３７】
また、ＬＥＤ５は、中央に植物の茎部２ａの生長を抑制する青色成分の高い茎部生長抑制光を照射する青色ＬＥＤ５ｂが配置され、該青色ＬＥＤ５ｂの周りに葉部２ｂの生長を促進する赤色成分の高い葉部生長促進光を照射する赤色ＬＥＤ５ｒが配置されている。そのため、リーフレタス２の茎部２ａの生長を抑制し、葉部２ｂの生長を促進させることができる。これによって、葉部２ｂを食用に供するリーフレタス２の商品的価値を向上させることができる。
【００３８】
（実施例２）  
次に本発明に係る植物育成用空気放射装置の第２の実施形態について図５を参照して説明する。
本実施形態の植物育成用空気放射装置４４では、空気放射部４６で放射する空気が、空気供給源から供給されるのではなく、栽培室１内の空気を空気放射部４６に内蔵されたファン４８により植物体に放射するようになっている点において、第１の実施形態と相違する。具体的には、円筒状のケーシング部５０の軸線上に回転軸線が同一なモータ５２とモータ５２に回転軸が連結されたファン４８とを備えている。ケーシング部５０の天板には複数の吸気口５４が設けられ、吸気口５４から栽培室１内の空気を吸い込むようになっている。吸い込んだ空気をモータ５２で駆動するファン４８で各空気放射口５６から放射する。ファン４８の強弱が制御装置により制御される。発光装置５など他の構成は第１の実施形態と同様であるので、同じ符号を添付して説明を省略する。
【００３９】
本実施形態の植物育成用空気放射装置４４によると、各空気放射部４６は、空気流を作り出し空気を放射するファン４８と該ファン４８を駆動させるモータ５２とを内蔵する。そのため、空気を送る配管や大規模な供給設備を設けることなく、簡素で低コストの設備とすることができる。空気放射部４６は、リーフレタス２の近くから空気流を放射することができるので、大風量とする必要がなく、隣接する葉部２ｂ間が接触して葉部２ｂ同士が損傷するのを防止することができる。葉部２ｂからの蒸散作用を促進して根からの水分や養分の吸い上げを促すので、葉部２ｂのしおれやチップバーンを防止することができる。
【００４０】
（実施例３）
次に本発明に係る植物育成用空気放射装置の第３の実施形態について図６および図７を参照して説明する。
本実施形態の植物育成用空気放射装置６４では、空気放射部支持装置８の支持バー７０が、例えばアルミニュウム製のパイプであり、該パイプは空気ポンプ１０から供給される空気が流通する流通路７２を構成すること、その支持バー７０が植物体に対向する例えばパイプの外周下端部に、空気放射部としての空気放射口６６が設けられていること、また、空気放射口６６の周囲には支持バー７０に直接組付けられた円板状の保持板７４を介して光源装置６８が設けられている点において、第１実施形態と相違する。その他の構成については、同様であるので、同じ符号を添付して説明を省略する。
詳しくは、上記保持板７４は、例えばボルトねじ等によって直付けされるか、支持バー７０の外周を囲む帯状のブラケット（図略）によって、支持バー７０に組み付けられている。保持板７４及び支持バー７０の外周壁には下方に向かって開口する６箇所の空気放射口６６が六角形状の各角位置に配設され、６箇所の空気放射口６６の中央には青色ＬＥＤ５ｂが保持板７４に設けられたソケット部（図略）を介した配置されている。保持板７４において、青色ＬＥＤ５ｂを中心にして、６箇所の前記空気放射口６６のさらに外側に形成される六角形状の各角位置には、ソケット部を介して赤色ＬＥＤ５ｒと白色ＬＥＤ５ｗとが、交互に配されている。これらの各ＬＥＤ５ｂ，５ｒ，５ｗは光源装置６８を構成し、第１実施形態と同様に電力供給部１２から電力が供給される。
本実施形態の植物育成用空気放射装置６４によると、空気放射口６６により放射される空気によって、光源装置６８の各ＬＥＤ５ｂ，５ｒ，５ｗが発光の際に生ずる熱の冷却を行うことができる。支持バー７０が空気を供給する流通路７２を兼ね、支持バー７０に設けられた空気放射口６６から植物体に空気が放射されるので、コンパクトで低製造コストの植物育成用空気放射装置６４とすることができる。
【００４１】
なお、本実施形態において、植物育成用空気放射装置を、空気放射部と発光装置とが一体となった複合装置としたが、これに限定されず、例えば、空気放射部と発光装置とが別体のものでもよい。
【００４２】
また、空気放射部や発光装置が円板状の基板（保持板）に配置されているものとしたが、これに限定されず、例えば矩形状の基板に配置されたものでもよい。
【００４３】
発光装置の発光体としてＬＥＤ５を使用したが、これに限定されず、例えば有機ＥＬでもよい。有機ＥＬは使用電力が少なく電力費用を軽減でき、光源としての発熱が少ないため、熱による葉部の損傷を防ぐことができる。
【００４４】
また、植物体としてリーフレタス２を使用したが、これに限定されず、例えば小松菜、チンゲン菜、ほうれん草などでもよい。
【００４５】
また、茎部生長抑制光源として青色ＬＥＤを用い、葉部生長促進光源として赤色ＬＥＤとしたが、これに限定されず、植物の種類によって選択して別の色のＬＥＤを使用してもよい。例えば、青色ＬＥＤは、リーフレタスにおいては茎部生長抑制光源となるが、なすに対しては茎部生長促進光源となる。
【００４６】
斯様に、上記した実施の形態で述べた具体的構成は、本発明の一例を示したものにすぎず、本発明はそのような具体的構成に限定されることなく、本発明の主旨を逸脱しない範囲で種々の態様を採り得るものである。
【産業上の利用可能性】
【００４７】
育成する植物全体のうちの成長が望まれる部分を、特に効率よく育成する場合に利用できる。
【符号の説明】
【００４８】
２…植物体（リーフレタス）、２ａ…茎部、２ｂ…葉部、４…植物育成用空気放射装置、５…発光装置（ＬＥＤ）、５ｂ…茎部生長抑制光源（青色ＬＥＤ）、５ｒ…葉部生長促進光源（赤色ＬＥＤ）、６…空気放射部、１０…空気供給源（空気ポンプ）、２０…パイプ（空気パイプ）、４４…植物育成用空気放射装置、４６…空気放射部、４８…ファン、５２…モータ、６４…植物育成用空気放射装置、６６…空気放射部（空気放射口）、６８…光源装置。
【図１】
2014162848.tif 000003
【図２】
2014162848.tif 000004
【図３】
2014162848.tif 000005
【図４】
2014162848.tif 000006
【図５】
2014162848.tif 000007
【図６】
2014162848.tif 000008
【図７】
2014162848.tif 000009
【国際調査報告】
2014162848.tif 000010
2014162848.tif 000011
2014162848.tif 000012
2014162848.tif 000013